(57)【特許請求の範囲】
【請求項１】
魚釣りに用いる中通し竿であって、
内部に釣糸通路を有する竿体と、
前記竿体の穂先側端部にはめ込まれ、前記釣糸通路に連通する内部通路を有し、前記内部通路内に釣糸案内部材を有するパイプ部材と、
前記パイプ部材及び前記竿体の外周に連続して配置された弾性チューブ材とを備え、
前記弾性チューブ材は、弾性力によって前記パイプ部材を前記竿体の穂先側外周に固定している
ことを特徴とする中通し竿。
【請求項２】
前記弾性チューブ材はコイルバネである、請求項１に記載の中通し竿。
【請求項３】
前記弾性チューブ材はゴム管である、請求項１に記載の中通し竿。
【発明の詳細な説明】
【０００１】
【発明の属する技術分野】
本発明は、内部に釣糸が挿通可能な釣糸通路を有する中通し竿に関する。
【０００２】
【従来の技術】
従来の例えば中通し竿は、内部に釣糸が挿通可能な釣糸通路を有する元竿と、元竿の穂先側に連結され元竿同様に内部に釣糸通路を有する中竿と、中竿の穂先側に連結され釣糸通路を有する穂先竿とを有している。元竿には、リールを取り付け可能なリールシートが形成され、リールシートの穂先側にはリールからの釣糸を竿体内部の釣糸通路に導入するための釣糸導入口が形成されている。また、穂先竿の穂先側端部にはトップガイドが設けられている。
【０００３】
このトップガイドは、例えば、穂先竿の穂先側端部外周面に接着剤等で取り付けられた雄ねじ部材に脱着自在に螺合した筒状の本体部と、本体部の穂先側端部内にはめ込まれたセラミックリングを有している。そして、リールからの釣糸は釣糸導入口から竿体内部へ導かれて穂先側のトップガイドへ至り、トップガイドの本体部内を挿通してセラミックリングに支持されながら外部へ導出される。
【０００４】
【発明が解決しようとする課題】
トップガイドでは、その内部を挿通する釣糸と共に本体部内にゴミ等が侵入して溜まってしまう場合があるため、本体部を取り外して内部を清掃する必要がある。しかし、従来の釣竿のトップガイドのように、トップガイドの本体部を雄ねじ部材を介して竿体に装着する場合、このねじ部分にも小石や砂，ゴミ等が付着して（特にねじ山にゴミ等が入り込んでしまうことで）、ねじ螺合がスムーズに行えない場合がある。
【０００５】
本発明の課題は、容易に竿体から脱着可能であり内部の掃除が容易なトップガイドを有する中通し竿を提供することにある。
【０００６】
【課題を解決するための手段】
発明１の中通し竿は、魚釣りに用いる中通し竿であって、内部に釣糸通路を有する竿体と、竿体の穂先側端部にはめ込まれ釣糸通路に連通する内部通路を有し内部通路内に釣糸案内部材を有するパイプ部材と、パイプ部材及び竿体の外周に連続して配置された弾性チューブ材とを備え、弾性チューブ材は、弾性力によってパイプ部材を竿体の穂先側外周に固定していることを特徴とする。
【０００７】
この中通し竿では、釣糸は竿体内部の釣糸通路からパイプ部材の内部通路を経て外部に導出される。そして、この釣糸はパイプ部材の内部通路内では釣糸案内部材に支持されてスムーズな出入が担保される。
一方で、パイプ部材は弾性チューブ材の弾性力によって竿体の外周に固定されており、力を加えてパイプ部材を穂先側に強く引き出すことにより容易に竿体から取り外すことでき、逆に竿体にはめ込むことにより容易に装着することもできる。この結果、釣糸の出入と共にゴミ・砂等が内部通路内に入り込んで溜まってしまった場合に、容易にパイプ部材を竿体から取り外してその内部を掃除でき、また装着して釣りを行うことができる。
【０００８】
発明２にかかる中通し竿は、発明１の中通し竿であって、弾性チューブ材はコイルバネである。
この場合には、コイルバネがパイプ部材と竿体とをその弾性力によって十分に固定している。また、コイルバネは正方向・逆方向に回転させることで微妙にその係方向寸法が変化するところ、この特性を利用してパイプ部材と竿体との脱着がさらに容易になる。
【０００９】
発明３にかかる中通し竿は、発明１の中通し竿であって、弾性チューブ材はゴム管である。
この場合には、ゴム管がパイプ部材と竿体とをその弾性力によって十分に固定している。
【００１０】
【発明の実施の形態】
［第１実施形態］
本発明の第１実施形態について図面を参照しつつ説明する。
本発明の第１実施形態を採用した中通し竿は、図１に示すように、内部に釣糸が挿通可能な釣糸通路を有する竿体１を有している。竿体１は複数の竿体を振出形式または並継形式に順次連結して構成される。竿元側外周には竿元グリップ２が装着され、その穂先側には前グリップ３が装着される。また、竿元グリップ２と前グリップ３との間にはリール４を脱着自在に装着可能なリールシート５が設けられており、穂先側周面上にはリール４からの釣糸Ｌを釣糸通路内に導入するための釣糸導入口６が形成されている。一方、穂先側端部にはトップガイド７が取り付けられている。そして、リール４からの釣糸Ｌは釣糸導入口６から竿体１内部の釣糸通路に導入され、順次穂先側へ導かれてトップガイド７から外部に導出される。
【００１１】
竿体１は炭素繊維やガラス繊維などの強化繊維に樹脂を含浸させたプリプレグをマンドレルに巻回し焼成して得られた先細り筒状部材である。また、それぞれの竿体の外周面上には撥水性，耐候性の塗材が塗布されており、商品イメージに応じて様々な模様が施されている。図２及び図３に示すように、最も穂先側に位置する竿体１の穂先側端部は、他の部分より穂先側にかけて肉厚かつ大径に形成された大径部１ａと、大径部１ａの穂先側に形成され大径部1ａに比べて小径化した挿入部１ｂとが形成されている。
【００１２】
図２及ぶ図３に示すように、トップガイド７は、内部に挿通通路を有するパイプ材１０と、パイプ材１０の挿通通路の穂先側端面に配置される第１釣糸案内リング１２と、挿通通路の第１釣糸案内リング１２の竿元側に隣接して配置され第１釣糸案内リングに比べて小径の第２釣糸案内リング１３と有している。
パイプ材１０はステンレス等の合金または合成樹脂製の筒状部材である。竿元側外周面及び内周面はそれぞれ一部が切欠かれ小径化しており、竿元側内周面に竿体１の穂先側端部が挿入され係止されている。また、第１釣糸案内リング１２及び第２釣糸案内リング１３はセラミック製のリング材であり接着剤等によってパイプ材１０に固定されている。そして、内部を釣糸が挿通しこれを支持するようになっている。
【００１３】
パイプ材１０の竿元側外周面の切欠部分と竿体１の挿入部１ｂとにかけてはゴム管１１が配置されている。そして、その弾性力によってパイプ材１０を竿体１に固定している。ゴム管１１は必要に応じて、パイプ材１０または竿体１の何れか一方に接着して固定してもよい。
このように構成された中通し竿では、釣糸Ｌは竿体１内部の釣糸通路からパイプ部材１０の内部通路を経て外部に導出される。そして、この釣糸Ｌはパイプ部材１０の内部通路内では第１釣糸案内リング１２及び第２釣糸案内リング１３に支持されてスムーズな出入が担保されている。
【００１４】
また、パイプ部材１０はゴム管１１の弾性力によって竿体１の穂先側外周に固定されており、力を加えてパイプ部材１０を穂先側に強く引き出すことにより容易に竿体１からパイプ部材１０を取り外すことでき、逆に竿体１にゴム管１１はめ込むことにより容易に装着することもできる。この結果、釣糸Ｌの出入と共にゴミ・砂等が内部通路内に入り込んで溜まってしまった場合に、容易にパイプ部材１０を竿体１から取り外してその内部を掃除でき、また装着して釣りを行うことができる。
【００１５】
［第２実施形態］
以下、本発明の第２実施形態について図面を参照しつつ説明する。
図４に示すように、本発明の第２実施形態を採用した中通し竿のトップガイド７も、第１実施形態と同様に、内部に挿通通路を有するパイプ材１０と、パイプ材１０の挿通通路の穂先側端面に配置される第１釣糸案内リング１２と、挿通通路の第１釣糸案内リング１２の竿元側に隣接して配置され第１釣糸案内リングに比べて小径の第２釣糸案内リング１３と有している。また、パイプ材１０はステンレス等の合金または合成樹脂製の筒状部材であって、竿元側外周面及び内周面はそれぞれ一部が切欠かれ小径化しており、竿元側内周面に竿体１の穂先側端部が挿入され係止されている。
【００１６】
パイプ材１０の竿元側外周面の切欠部分と竿体１の挿入部１ｂとにかけてはコイルバネ２１が配置されている。そして、その弾性力によってパイプ材１０を竿体１に固定している。コイルバネ２１は必要に応じてパイプ材１０に対しては接着固定される。
このように構成された中通し竿では、第１実施形態と同様の作用効果を奏する。特に、パイプ部材１０はコイルバネ２１の弾性力によって竿体１の穂先側外周に固定されており、力を加えてパイプ部材１０を穂先側に強く引き出すことにより容易に竿体１からパイプ部材１０取り外すことでき、逆に竿体１にコイルバネ２１をはめ込むことにより容易に装着することもできる。また、コイルバネ２１は正方向・逆方向に周方向回転させることで微妙にその径方向寸法が変化するところ、この特性を利用して竿体１への脱着がさらに容易になる。
【００１７】
［他の実施形態］
（ａ）釣糸案内リングは任意数配置すれば足りる。また、セラミックではなく金属部材を用いてもよい。
【００１８】
【発明の効果】
本発明によれば、トップガイドを竿体に容易に脱着でき、トップガイド内に溜まったゴミ等を容易に排除できる。
【図面の簡単な説明】
【図１】本発明の第１実施形態を採用した釣竿の全体図。
【図２】図１のトップガイドの参考斜視図。
【図３】図１のトップガイド付近の断面図。
【図４】本発明の第２実施形態を採用したトップガイド付近の断面図。
【符号の説明】
１  竿体
７  トップガイド
１０  パイプ部材
１１  ゴム管
１２〜１３  第１〜第２釣糸案内リング
２１  コイルバネ
【図１】
0004354088.tif 000002
【図２】
0004354088.tif 000003
【図３】
0004354088.tif 000004
【図４】
0004354088.tif 000005